(57)【要約】【課題】高い冷却効果により植物の生長を促進させることができる植木鉢を提供する。【解決手段】植木鉢１は、用土が入れられて植物が植栽される内側鉢２と、内側鉢２の壁面２２との間に上部が開放された空間Ｓを形成する壁面３２を有する外側鉢３と、内側鉢２と外側鉢３との間の空間Ｓに配置された保水手段４とを備えている。保水手段４は、透水性を有する袋体４１と、袋体４１に収納された吸水性を有する天然または人工の綿状の繊維体４２および繊維体４２内に分散させた木材粉４３とを備えたものである。この保水手段４を露出させる穴３２１が、外側鉢３の壁面３２に設けられていることで、全体を満遍なく冷却することができる。【選択図】図２
0003163460.tif 000002
【実用新案登録請求の範囲】
【請求項１】
用土が入れられて植物が植栽される内側鉢と、
前記内側鉢の壁面の外側に、上部が開放された空間を形成する壁面を有する外側鉢と、
前記内側鉢と前記外側鉢との間の空間に配置された保水手段とを備え、
前記外側鉢の壁面には、前記保水手段を露出させる穴が設けられていることを特徴とする植木鉢。
【請求項２】
前記内側鉢の壁面は、不透水性を有している請求項１記載の植木鉢。
【請求項３】
前記保水手段は、透水性を有する袋体と、前記袋体に収納された吸水性を有する天然または人工の綿状の繊維体および前記繊維体内に分散させた木材粉とを備えたものである請求項１または２記載の植木鉢。
【請求項４】
前記内側鉢の底面には、通水口が形成された通水部が設けられ、
前記外側鉢に底面には、前記通水部の周囲を縁部が支持する開口が設けられている請求項１から３のいずれかの項に記載の植木鉢。
【考案の詳細な説明】
【技術分野】
【０００１】
本考案は、暑い日でも、鉢内の温度上昇を抑えることで植物の生長を促進させることができる植木鉢に関するものである。
【背景技術】
【０００２】
植木鉢として、内側鉢と外側鉢とによる二重構造としたものが知られている。例えば、特許文献１には、一般培養鉢の底に敷く大粒培養土の上に多孔硬質筒を上部が外鉢の培養土上部より約３ｃｍ高くなるような位置に据え、多孔硬質筒の外側に小粒培養土を入れて多孔硬質筒を安定させ、多孔硬質筒の内側に中粒培養土を入れて、おもと等の植物を植込む多孔硬質筒で仕切った二重構造鉢が記載されている。
この植木鉢は、夏の暑さに弱いおもとであっても、多孔硬質筒の外側の植込材料が外気を遮断し、多孔硬質筒がラジエーターの役目をして気化熱を奪うので、鉢内温度を気温より４〜５度は下げることができるものである。
【０００３】
また、特許文献２には、底部に孔が開いている植木鉢の内側に、これと一体となり、その開口周縁よりも低い位置、又は高い位置に、筒状の内鉢が配置されている全体が透水性の素材からなる上一重下二重式植木鉢が記載されている。
この植木鉢は、内鉢と外鉢との間の貯水部により一旦貯水された水が、貯水部に入っている培養土と透水性のある内鉢の壁を通って内鉢内に浸入することで、濾過され新鮮な水となり、内鉢内の排水孔から流れ出ることにより、根に持続的に補水できる機能を持たせている。また、貯水部の水が透水性のある外鉢の壁から絶えず浸み出し気化することにより、鉢内全体の温度を持続的に低下させる。
【０００４】
更に、特許文献３には、素焼製品である内側鉢と外側鉢との間の空隙に水や液体肥料を入れておくと、透水性を有する内側鉢の壁面から内部に浸透し、素焼製品に鉢植えした植物へのやり水や施肥を不要とすることができ、また、空隙に水や冷水を入れておくと、釉薬を塗着した素焼製品に収納したワイン入りのボトルを冷やすこともできる壁面に空隙を有する素焼製品が記載されている。
【先行技術文献】
【特許文献】
【０００５】
【特許文献１】実用新案登録３０８７４９１号公報
【特許文献２】特開２００２−９５３５６号公報
【特許文献３】特開２０００−４４３２８号公報
【考案の概要】
【考案が解決しようとする課題】
【０００６】
しかし、特許文献１に記載の二重構造鉢は、多孔硬質筒が培養土上部より約３ｃｍ高くなるように配置されていることで、ラジエーターとして機能するものであるため、約３ｃｍ高く培養土上部より出ているものの、その殆どは培養土中に埋没した状態である。従って、多孔硬質筒の露出部分が少ないため、冷却効果は低いものと思われる。
【０００７】
また、特許文献２に記載の上一重下二重式植木鉢には、次のような問題がある。内側鉢より外側鉢の壁面の方を高くして、一重部分である鉢内上部まで培養土を満たすと、培養土が貯水部に入ってしまい気化の邪魔をすると共に貯水量が減少してしまうため、冷却効果が薄れる。また、内側鉢より外側鉢の壁面の方が低い場合には、貯水部に入る培養土に活性炭や炭を多目に混入して水を貯めて、内鉢側に外鉢側に植えた植物の根から出る老廃物の影響もなく貯水部が鉢として使えるとのことであるが、これでは内側鉢内を冷却することの効果は低いものと思われる。
【０００８】
更に特許文献３に記載の素焼製品では、植物を植え付けた場合には水分の供給を目的としているため冷却効果については余り期待できない。また、ワインクーラーとした場合には、空隙に水を溜めるだけなので、水が蒸発しやすく長時間の冷却効果が期待できない。
【０００９】
暑い夏では鉢植えの周囲温度が高くなり、直射日光が当たる場合には、用土の温度も相当高くなるため、気温が高くなる日中、長時間の冷却を持続させる必要がある。従って、高い冷却効果を長時間持続させて、植物の生長を促進させることができる植木鉢が求められている。
【００１０】
そこで本考案は、高い冷却効果により植物の生長を促進させることができる植木鉢を提供することを目的とする。
【課題を解決するための手段】
【００１１】
本考案の植木鉢は、用土が入れられて植物が植栽される内側鉢と、前記内側鉢の壁面の外側に、上部が開放された空間を形成する壁面を有する外側鉢と、前記内側鉢と前記外側鉢との間の空間に配置された保水手段とを備え、前記外側鉢の壁面には、前記保水手段を露出させる穴が設けられていることを特徴とする。
内側鉢の外側の空間であって、内側鉢と外側鉢とのそれぞれの壁面の間の空間には、保水手段が配置されている。この空間は上部が開放となっているため、内側鉢に植栽された植物に水を散布するときに、保水手段に水を含ませることができる。保水手段が水を保持するため、単に水を貯留したものと比較して全部の水が蒸発することなく、少しずつ開放された上部から気化する。この気化熱により内側鉢の温度を下げることができる。外側鉢の壁面には保水手段を露出させる穴が設けられているため、保水手段に保持された水は穴からも蒸発するため、壁面の中間位置であっても温度を下げることができる。
【００１２】
前記内側鉢の壁面は、不透水性を有しているのが望ましい。保水手段からの水が浸入しないので、保水手段に水を長期間保持させることができる。
【００１３】
前記保水手段は、透水性を有する袋体と、前記袋体に収納された吸水性を有する天然または人工の綿状の繊維体および前記繊維体内に分散させた木材粉とを備えたものとするのが望ましい。木材粉が綿状の繊維体内にできる空隙に分散されて。繊維体による保水だけでなく、木材粉による吸水により保水量を増大させることできる。この木材粉は繊維体により担持され、繊維体全体が袋体によって保形されるので、木材粉が繊維体から脱落することを抑止しつつ、内側鉢と外側鉢との間の空間の形状に、保持手段の形状を合わせて配置することができる。
【００１４】
前記内側鉢の底面には、通水口が形成された通水部が設けられ、前記外側鉢に底面には、前記通水部の周囲を縁部が支持する開口が設けられていると、内側鉢に供給された水は内側鉢の通水口を通じて流れ、外側鉢の開口から排出される。従って、内側鉢への水は、外側鉢の底部に溜まることなく外へ流れるので、水に混ぜられた肥料や用土により汚れた水が保水手段に浸入することを防止することができる。
【考案の効果】
【００１５】
本考案は、内側鉢と外側鉢とのそれぞれの壁面の間の空間に保水手段が配置され、外側鉢の壁面には保水手段を露出させる穴が設けられているため、保水手段に保持された水は穴からも蒸発させることができるので、高い冷却効果により植物の生長を促進させることができる。
【図面の簡単な説明】
【００１６】
【図１】本発明の実施の形態に係る植木鉢を示す斜視図である。
【図２】図１に示す植木鉢の断面図である。
【図３】図１に示す植木鉢の内側鉢を示す平面図である。
【図４】図１に示す植木鉢の外側鉢を示す図である。
【考案を実施するための形態】
【００１７】
本考案の実施の形態に係る植木鉢を図面に基づいて説明する。
図１および図２に示すように、植木鉢１は、内側鉢２と、外側鉢３と、保水手段４とを備えた二重鉢である。本実施の形態では、内側鉢２と外側鉢３とのそれぞれが樹脂製の成型品により形成されている。
【００１８】
内側鉢２は、図３に示すように底面２１の中央部２１ａとその周囲部２１ｂとに、円形穴および長穴により、用土を通過した水を排水する通水口２１１が形成されていることで通水部２１２が設けられている。本実施の形態では、通水口２１１として、中央部２１ａには円形穴が円形に配置され、長穴は半径方向に沿って放射状に２列配置されている。内側鉢２の壁面２２に穴は設けられておらず不透水性を有している。
【００１９】
外側鉢３は、底面３１に通水部２１２全体を囲う開口３１１が設けられている。この開口３１１は、通水部２１２の周囲を支持するために、縁部３１２が上方に向かって立ち上がる周壁面を形成している。この縁部３１２の上端は、底面３１に溜まった水が抜けやすいように所定間隔ごとに切り欠かれている。外側鉢３の壁面３２には、保水手段４を露出する円形の穴３２１が所定間隔ごとに配置されている。この穴３２１は、円形状に形成され、壁面３２の円周方向に沿って上下２列に配置されている。
【００２０】
保水手段４は、内側鉢２と外側鉢３とのそれぞれの壁面２２，３２の間にできた上部が開放された空間Ｓに配置されている。この保水手段４は、透水性を有する袋体４１と、袋体４１に収納された吸水性を有する繊維体４２と、繊維体４２内に分散させた木材粉４３とを備えたものである。
【００２１】
袋体４１は、本実施の形態では不織布により形成された矩形状の袋が使用されている。この袋体４１は、内側鉢２の周囲全体を囲うことができる程度の長さと、外側鉢３の壁面３２の高さに形成されている。繊維体４２は、天然や人工の綿状のものが使用できる。本実施の形態では、天然の綿が使用されている。木材粉４３は、粉状の木材である。本実施の形態では、木材粉４３として廃材である大鋸屑を使用している。
【００２２】
以上のように構成された本考案の実施の形態に係る植木鉢１の使用状態を図面に基づいて説明する。
植木鉢１の内側鉢２に用土を入れ、植物を植栽し、水を撒く。この水撒きにより上部が開放された空間Ｓに位置する保水手段４にも水が撒かれるので、一度の水撒きにより、植物と保水手段４との両方に水を供給することができる。空間Ｓは全周に渡って上部が開放状態なので、空間Ｓの形状に合わせて円筒形状に配置された保水手段４に満遍なく水を供給することができる。
保水手段４への水は、繊維体４２が保水するだけでなく、繊維体４２の隙間に入り込んだ木材粉４３が吸収して保持するので、高い保水量を図ることができる。
【００２３】
日差しが強い日は植物や用土だけでなく、内側鉢１全体が高温となるが、水を保持する保水手段４が内側鉢２の壁面２２に当たっているため高温となることを抑制することができる。内側鉢２は不透水性なので保水手段４からの水が壁面２２にしみ入ることがないため、保水手段４からの水が内側鉢２へ浸入することにより保水量が減少することはない。保水手段４に保持された水は、開放された空間Ｓの上部からだけでなく、外側鉢３の壁面３２に設けられた穴３２１からも保水手段４に保持された水が蒸発するので、気化熱により内側鉢２が高温となることを抑制することができる。従って、高い冷却効果を図ることができる。また、穴３２１が外側鉢３の壁面３２に所定間隔ごとに設けられているため、壁面３２の中間位置であっても温度を下げることができ、全体を満遍なく冷却することができる。
【００２４】
内側鉢２に供給された水は内側鉢２の通水口２１１を通じて流れ、外側鉢３の開口３１１から排出される。従って、内側鉢２への水は、外側鉢３の底部に溜まることなく外へ流れるので、水に混ぜられた肥料や用土により汚れた水が保水手段４に浸入することを防止することができる。
【００２５】
保水手段４を交換するときには、抜き取るようにして、空間Ｓから取り出すことができる。そして、代わりの保水手段４を筒状にして差し込むことで簡単に挿入することができる。この木材粉４３は繊維体４２により担持され、繊維体４２全体が袋体４１によって保形されるので、木材粉４３が繊維体４２から脱落することを抑止しつつ、内側鉢２と外側鉢３との間の空間の形状に、保持手段４の形状を合わせて配置することができる。
【００２６】
このように植木鉢１は、保水手段４により保持された水が、空間Ｓの開放された上部と保水手段４を露出させる穴３２１とから蒸発することにより、内側鉢２を２℃〜６℃ほど冷却することができるので、高い冷却効果により植物の生長を促進させることができる。また、保水手段４が水を保持するため、保水手段を設けずに水を貯留した場合と比較して、水を長時間保持させることができる。
【００２７】
なお、本実施の形態では、平面視して円形状の植木鉢１であったが、矩形状でも五角形以上の多角形でも、異形状でも、内側鉢と外側鉢との間に保水手段が設けられ、外側鉢に保水手段を露出させる穴が設けられていれば、本考案の効果を得ることができる。
また、本実施の形態では、樹脂製の成型品により植木鉢１が形成されていたが、陶器製でもよいが、保水手段４が保持した水が内側鉢２内にしみ入らずに、蒸気となって気化する方が、冷却効果が高く、長時間保持できるので、内側鉢２は不透水性とするのが望ましい。
更に、穴３２１は円形状だけでなく、リング状、三角形以上の多角形状、星型、波形、月型などの単純図形や、葉形、ハート形、クラブ形、スペード形、スリット形状などを象った図形とすることができる。
【産業上の利用可能性】
【００２８】
本考案は、高温に弱い植物を栽培するための植木鉢に好適である。特に、直射日光が照射されるベランダでの栽培などには最適である。
【符号の説明】
【００２９】
１  植木鉢
２  内側鉢
２１  底面
２１ａ  中央部
２１ｂ  周囲部
２１１  通水口
２１２  通水部
２２  壁面
３  外側鉢
３１  底面
３１１  開口
３１２  縁部
３２  壁面
３２１  穴
４  保水手段
４１  袋体
４２  繊維体
４３  木材粉
【図１】
0003163460.tif 000003
【図２】
0003163460.tif 000004
【図３】
0003163460.tif 000005
【図４】
0003163460.tif 000006